(57)【要約】【課題】ＢＧＭで患者の精神的なストレスを緩和させ、音声ガイダンスが聞き取りやすくし、医療器械装置の検査結果の品質を向上できること。【解決手段】医療器械装置１０の音声ガイダンスを行うスピーカ１１に入力される音声信号を検出する音声信号検出器１２が、スピーカ１１に入力される音声信号を検出していないとき、音声出力切替回路３は所定の音楽を再生するプレーヤー１からの音声信号をヘッドホン７の入力信号に切替え、ＢＧＭを患者に聞かせる。音声信号検出器１２が医療器械装置１０のスピーカ１１に入力される音声信号を検出したとき、当該スピーカ１１に入力される音声信号をヘッドホン７の入力信号に切替え、患者に音声ガイダンスを聞かせる。このとき、ヘッドホン７は、マイク８及び増幅回路９及び差動増幅回路５からなるノイズキャンセラーによってプレーヤー１から出力された音楽または医療器械装置１０の音声ガイダンスから、医療器械装置１０の周囲の騒音を除去してヘッドホン７の音声出力とする。【選択図】図１
2011098070.tif 000002
【特許請求の範囲】
【請求項１】
医療器械装置の音声ガイダンスを行うスピーカに入力される音声信号を検出する音声信号検出器と、
所定の音楽を再生するプレーヤーと、
前記プレーヤーから出力された音楽または前記医療器械装置の音声ガイダンスを音声出力するヘッドホンと、
前記プレーヤーから出力された音楽または前記医療器械装置の音声ガイダンスから、前記医療器械装置の周囲の騒音を除去して前記ヘッドホンの音声出力とするノイズキャンセラーと、
前記音声信号検出器が前記医療器械装置のスピーカに入力される音声信号を検出したとき、前記プレーヤーからの音楽出力を低減または遮断し、前記医療器械装置のスピーカに入力される音声信号を前記ヘッドホンの入力信号に切替え、また、前記音声信号検出器が前記医療器械装置のスピーカに入力される音声信号を検出していないときには、前記プレーヤーからの音声信号を前記ヘッドホンの入力信号に切替える音声出力切替回路
を具備することを特徴とする医療器械装置用バックグランドミュージック装置。
【請求項２】
前記ノイズキャンセラーは、前記ヘッドホン自体に前記医療器械装置の周囲の騒音を除去する機能を付与したものを使用することを特徴とする請求項１に記載の医療器械装置用バックグランドミュージック装置。
【請求項３】
前記音声出力切替回路の切替えは、前記医療器械装置のスピーカに出力される音声信号を前記音声信号検出器が検出したとき、急速に前記ヘッドホンの入力に前記音声信号検出器の出力を切替えることを特徴とする請求項１または請求項２に記載の医療器械装置用バックグランドミュージック装置。
【請求項４】
前記音声出力切替回路の切替えは、前記医療器械装置のスピーカに入力される音声信号を前記音声信号検出器が検出しなくなってから、前記ヘッドホンの入力信号に前記プレーヤーからの音楽出力に切替えるときには、前記音声信号検出器が検出しなくなってから時間の経過に応じて出力を定常状態に順次上昇させることを特徴とする請求項１乃至請求項３の何れか１つに記載の医療器械装置用バックグランドミュージック装置。
【請求項５】
前記音声出力切替回路の切替えは、前記医療器械装置のスピーカに入力される音声信号を前記音声信号検出器が検出しなくなってから、前記ヘッドホンの入力信号に前記プレーヤーからの音楽出力に切替えるときには、前記音声信号検出器が検出しなくなってから３乃至１０秒後、時間の経過に応じて出力を定常状態に順次上昇させることを特徴とする請求項１乃至請求項３の何れか１つに記載の医療器械装置用バックグランドミュージック装置。
【請求項６】
前記音声信号検出器は、前記医療器械装置のスピーカ出力を遮断した無信号状態と、スピーカ入力に音声ガイダンスの音声信号が載っていないときの無音信号状態と、スピーカ出力に音声ガイダンスの音声信号が載っているときの信号状態が得られるとき、無信号状態のとき、前記ヘッドホンの入力信号に前記プレーヤーからの音楽出力を定常状態出力とし、無信号状態から無音信号状態に変化したときには、前記ヘッドホンの前記プレーヤーからの音楽出力を順次低減させ、前記音声ガイダンスの待機状態とすることを特徴とする請求項１乃至請求項５の何れか１つに記載の医療器械装置用バックグランドミュージック装置。
【発明の詳細な説明】
【技術分野】
【０００１】
本発明は、医療器械装置、例えば、ＣＴ装置の撮影タイミングを知らせる呼吸の息止め合図のないとき、バックグランドミュージック（以下、単に『ＢＧＭ』と記す）を流し、患者（被検体者：以下、被検体者を「患者」と呼ぶ）の精神的なストレスを緩和させ、医師の指示をそのタイミングに合わせて実行できるようにし、Ｘ線コンピュータ診断撮影装置、医用画像撮影装置等の医療器械装置の検査結果の品質向上、患者の生理的なストレスの排除を行う医療器械装置用バックグランドミュージック装置に関するものである。
【背景技術】
【０００２】
この種の医療器械装置の音声ガイダンス装置としては、特許文献１に記載の技術がある。即ち、診療台上の患者の存否、治療の進捗状況に応じて拡声スピーカから適切な音声ガイダンスを送出すると共に、診療台周辺のデンタルライトや、うがい用ベースン等の関連機器の動作制御を自動的に行う構成にしている。
特許文献１においては、治療の進捗状況に応じて拡声スピーカから適切な音声ガイダンスを送出することができても、或いは、治療の進捗状況に応じて周辺機器の制御が可能になっても、患者の生理的なストレスの排除を行うことはできない。
【先行技術文献】
【特許文献】
【０００３】
【特許文献１】特開２００３−３０５０９０
【発明の概要】
【発明が解決しようとする課題】
【０００４】
ところが、近年、例えば、Ｘ線コンピュータ診断撮影装置のＸ線管の回転速度は、高速化の一途を辿っており、それに伴いベルトドライブ方式から、リニアモータドライブ等の静音機構が搭載された装置が商品化されている。このような、医療器械装置においては、高速化と、機械的(メカニカル的)な静穏機構は、並行して開発が進んできたが、高速回転に伴って自然発生する風切り音に関しては、完全に防ぐ技術的解決策は講じられていない。また、患者側で人体の耳に入る風きり音を防ぐ手段についても同様である。
特に、健常者の場合、この風切り音によって、撮影する直前のＸ線コンピュータ診断撮影装置等からアナンスされる息止め合図の音声が聞きづらいという指摘は殆ど無い。しかし、例えば、高齢者の場合には、無視できない状態にある。
【０００５】
即ち、Ｘ線コンピュータ診断撮影装置による検査対象が高齢の患者の場合には、Ｘ線コンピュータ診断撮影装置による撮影時、Ｘ線管が装置のスキャナー本体内部で高速回転するから、撮影のタイミングではこの風切り音と、息止め合図の音声とが一致し、音声ガイダンスの息止めの指示に風きり音が重なり、音声ガイダンスだけを明瞭に聞き取れず、音声ガイダンスの息止め合図通りに息を止められないという事態がある。この場合、呼吸が止まっていない状態での撮影になり、撮影結果に動きによる虚像が診断画像に混入し不明瞭な画像となる。
【０００６】
一方、Ｘ線コンピュータ診断撮影装置による検査対象が心臓の冠動脈検査の場合には、完全なる患者の息止めと、検査中における心拍動が安定した状態でなければ、患者の動きによる虚像(画像不良)が出現し、患者の画像を得ることができない。音声ガイダンスがしっかりと聞き取れないときの息止め不良が原因の虚像に加え、スキャナー本体内部でのＸ線管の回転による風切り音が患者に対する生理的なストレスを与え、検査を開始するときには、心拍動が極度に向上し、心臓の拍動の周期、動きが不安定になり、診断画像が不明瞭になることがある。
現在のＸ線コンピュータ診断撮影装置の精度として０．５ｍｍ以下のものまで識別できるようになってきた。臨床の現場では、１ｍｍにも満たさない性状のものが血管の狭窄の要因になっているのか、または肺の中の疑わしい癌組織等の濃淡がどのようになっているか等、非常に細かいターゲットの形態、性状の観察が重要になっている。このような対象物が小さい物に対し、安定した息止め、安定した精神状態での撮影が大変重要な問題になっている。
【０００７】
そこで、本発明は、かかる課題を解決するためになされたものであって、ＢＧＭで患者の精神的なストレスを緩和させ、音声ガイダンスが聞き取りやすくし、医療器械装置の検査結果の品質を向上できる医療器械装置用バックグランドミュージック装置に関の提供を目的とするものである。
【課題を解決するための手段】
【０００８】
請求項１の発明に係る医療器械装置用バックグランドミュージック装置は、医療器械装置のスピーカに入力される音声信号を検出する音声信号検出器と、所定の音楽を再生するプレーヤーと、前記プレーヤーから出力された音楽または前記医療器械装置の音声ガイダンスを音声出力するヘッドホンと、前記プレーヤーから出力された音楽または前記医療器械装置の音声ガイダンスから、前記医療器械装置の周囲の騒音を除去して前記ヘッドホンの音声出力とするノイズキャンセラーと、前記音声信号検出器が前記医療器械装置のスピーカに入力される音声信号を検出したとき、前記プレーヤーからの所定の音楽出力を低減し、前記医療器械装置のスピーカに入力される音声信号を前記ヘッドホンの入力に切替え、また、前記音声信号検出器が前記医療器械装置のスピーカに入力される音声信号を検出していないときには、前記プレーヤーからの所定の音楽出力の音声信号を前記ヘッドホンの入力に切替える音声出力切替回路を具備するものである。
【０００９】
ここで、上記音声信号検出器は、医療器械装置の音声ガイダンスを行うスピーカに入力される音声信号を検出するもので、通常は、スピーカに流れる音声電流をピックアップコイル等の電流検出器によって非接触状態で検出するものであり、医療器械装置の直接出力を使用するものではない。当然、医療器械装置の直接出力を使用しても実現できる。
また、上記プレーヤーは、所定の音楽を再生するものであり、出力として音声信号が出せるものであればよく、信号形態として、ＭＰ３のような音声信号のみではなく、ＭＰ４、ＷＭＶ、３ＧＰ、ＳＷＦ、ＤＶＤ、ＶＯＢ、ＶＲＯ、ＭＰＥＧ等の何れであっても信号形態を問うものではなく、ヘッドホンの出力として音声が出るものであればよく、音声出力よりも前では独自の信号形態としてもよい。
そして、上記ヘッドホンは、前記プレーヤーから出力された音楽または前記医療器械装置の音声ガイダンスを音声出力するものであり、ＭＲＩ等のように金属部分を嫌うものでは、合成樹脂からなる音声伝達チューブで耳まで導いてもよい。
更に、上記ノイズキャンセラーは、前記プレーヤーから出力された音楽または前記医療器械装置の音声ガイダンスから、前記医療器械装置の周囲の騒音を除去して前記ヘッドホンの音声出力とするもので、前記ヘッドホンの音声出力に前記医療器械装置の周囲の騒音が入らなければよいので、前記ヘッドホン自体のノイズキャンセラーを使用することもできるし、専用の回路とすることもできる。即ち、ヘッドホン自体にノイズキャンセラー機能を有するものであっても、ヘッドホン自体にそのノイズキャンセラー機能を有していなくとも、結果的にヘッドホンに入力される信号に騒音を打ち消す信号が載っておればよい。
更にまた、上記音声出力切替回路は、前記音声信号検出器が前記医療器械装置のスピーカに入力される音声信号を検出したとき、前記プレーヤーからの所定の音楽出力を低減し、前記医療器械装置のスピーカに入力される音声信号を前記ヘッドホンの入力に切替え、また、前記音声信号検出器が前記医療器械装置のスピーカに入力される音声信号を検出していないときには、前記プレーヤーからの所定の音楽出力の音声信号を前記ヘッドホンの入力に切替えるものである。このプレーヤーからの音楽出力を低減し、または遮断し、前記医療器械装置のスピーカに入力される音声信号を前記ヘッドホンの入力に切替える速度は、速やかに行われる。また、前記医療器械装置の音声ガイダンスがなくなったときには、徐々にプレーヤーからの音楽出力に切替えられる。
【００１０】
請求項２の発明に係る医療器械装置用バックグランドミュージック装置の前記ノイズキャンセラー機能は、前記ヘッドホン自体に前記医療器械装置の周囲の騒音を除去する機能を付与したものを使用するものである。
特に、前記ヘッドホン自体に前記ノイズキャンセラー機能が付いたものは、市販されたヘッドホンが廉価に入手できるから、格別の専用回路を設定する必要性がなくなる。
【００１１】
請求項３の発明に係る医療器械装置用バックグランドミュージック装置の前記音声出力切替回路の切替えは、前記医療器械装置のスピーカに出力される音声信号を前記音声信号検出器が検出したとき、急速に前記ヘッドホンの入力に前記音声信号検出器の出力を切替えるものである。
ここで、前記音声信号検出器が前記医療器械装置のスピーカに出力される音声信号を検出したとき、その信号は音声ガイダンスであるから、速やかに前記医療器械装置のスピーカに出力される音声信号を音声出力切替回路の出力とするものである。特に、前記プレーヤーからの音楽出力を低減または遮断し、前記医療器械装置のスピーカに入力される音声信号を前記ヘッドホンの入力信号に切替えることにより、患者がリラックスしていても、音声ガイダンスを聞き逃すことがない。
【００１２】
請求項４の発明に係る医療器械装置用バックグランドミュージック装置の前記音声出力切替回路の切替えは、前記医療器械装置のスピーカに入力される音声信号を前記音声信号検出器が検出しなくなってから、前記ヘッドホンの入力信号に前記プレーヤーからの音楽出力に切替えるときには、前記音声信号検出器が検出しなくなってから時間の経過に応じて出力を定常状態に順次上昇させるものである。
ここで、定常状態に順次上昇させるタイミングは、通常、３乃至１０秒で定常状態とするのが望ましいが、開始時点を２乃至５秒遅らせ、順次上昇させることもできる。また、人の感性からして、単純に時間に比例させると、最初は変化が少ないので、指数関数的に上昇させるのが望ましい。
【００１３】
請求項５の発明に係る医療器械装置用バックグランドミュージック装置の前記音声出力切替回路の切替えは、前記医療器械装置のスピーカに入力される音声信号を前記音声信号検出器が検出しなくなってから、前記ヘッドホンの入力信号に前記プレーヤーからの音楽出力に切替えるときには、前記音声信号検出器が検出しなくなってから３乃至１０秒後、時間の経過に応じて出力を定常状態に順次上昇させるものである。
このように、３乃至１０秒の遅延をかけた動作では、再度、音声ガイダンスが到来しても、違和感のない対応となる時間動作となる。
【００１４】
請求項６の発明に係る医療器械装置用バックグランドミュージック装置の前記音声信号検出器は、前記医療器械装置のスピーカ出力を遮断した「無信号状態」と、スピーカ入力に音声ガイダンスの音声信号が載っていないときの「無音信号状態」と、スピーカ出力に音声ガイダンスの音声信号が載っているときの「有音信号状態」が得られるとき、「無信号状態」のとき、前記ヘッドホンの入力信号に前記プレーヤーからの音楽出力を定常状態出力とし、「無信号状態」から「無音信号状態」に変化したときには、前記ヘッドホンの前記プレーヤーからの音楽出力を順次低減させておき、前記音声ガイダンスの待機状態とするものである。
ここで、上記「無信号状態」とは、スピーカ入力が短絡またはグランドされ電流が流れていないときを意味する。また、「無音信号状態」とは、音声ガイダンスの電流が流れていないときで、無音状態で電流が流れている状態を意味し、ホワイトノイズの重畳も含むものである。そして、スピーカ出力に音声ガイダンスの音声信号が載っているときとは、音声ガイダンスの音声信号がスピーカから出力されるときを意味する。
【発明の効果】
【００１５】
請求項１の発明の医療器械装置用バックグランドミュージック装置は、医療器械装置の音声ガイダンスを行うスピーカに入力される音声信号を検出する音声信号検出器が、医療器械装置のスピーカに入力される音声信号を検出していないとき、前記音声出力切替回路は所定の音楽を再生するプレーヤーからの音声信号を前記ヘッドホンの入力信号に切替え、ＢＧＭを患者に聞かせる。前記音声信号検出器が前記医療器械装置のスピーカに入力される音声信号を検出したとき、前記プレーヤーからの音楽出力を低減または遮断し、前記医療器械装置のスピーカに入力される音声信号を前記ヘッドホンの入力信号に切替え、患者に音声ガイダンスを聞かせる。このとき、前記プレーヤーから出力された音楽または前記医療器械装置の音声ガイダンスを音声出力するヘッドホンは、ノイズキャンセラーによって前記プレーヤーから出力された音楽または前記医療器械装置の音声ガイダンスから、前記医療器械装置の周囲の騒音を除去して前記ヘッドホンの音声出力とするものである。
したがって、近年のＸ線コンピュータ診断撮影装置等のＸ線管の回転速度が高速化しても、その高速回転に伴って自然発生する風切り音の大きさに対しては、ノイズキャンセラーによって患者側の耳に入る風切り音を完全に防ぐことができる。特に、高齢者の場合においても、患者側で人体の耳に入る風切り音を完全に防ぐことができる。
即ち、Ｘ線コンピュータ診断撮影装置による検査対象が高齢の患者の場合であっても、Ｘ線コンピュータ診断撮影装置による撮影時、Ｘ線管がスキャナー本体内部で高速回転する際の風切り音と、息止め合図の音声とが一致し、音声ガイダンスの息止めの指示に風きり音が重なり、音声ガイダンスだけを明瞭に聞き分けることができる。故に、音声ガイダンスの息止め合図通りに息を止めることができ、呼吸が止めた状態での撮影が可能になり、診断画像に人体の動きに伴う虚像が混入することがない。
また、Ｘ線コンピュータ診断撮影装置による検査対象が心臓の冠動脈検査の場合には、完全なる患者の息止めと、検査中における心拍動、心臓の拍動の周期、動きがＢＧＭで安定した状態となり、かつ、音声ガイダンスにより明瞭に医者の指示を聞き分けることができるから、息止めのタイミングが明確になり、Ｘ線コンピュータ診断撮影装置の能力を活用でき、精度として０．５ｍｍ以下のものまで識別できる。
このように、ＢＧＭで患者の精神的なストレスを緩和させ、音声ガイダンスを聞き取りやすくし、医療器械装置の検査結果の品質を向上できる医療器械装置用バックグランドミュージック装置を得ることができる。
【００１６】
請求項２の発明の医療器械装置用バックグランドミュージック装置の前記ノイズキャンセラーは、前記ヘッドホン自体に前記医療器械装置の周囲の騒音を除去する機能を付与したものを使用するものであるから、請求項１に記載の効果に加えて、ノイズキャンセラー付のヘッドホンは市販されており、装置を廉価にすることができる。
【００１７】
請求項３の発明の医療器械装置用バックグランドミュージック装置の前記音声出力切替回路の切替えは、前記医療器械装置のスピーカに出力される音声信号を前記音声信号検出器が検出したとき、急速に前記ヘッドホンの入力に前記音声信号検出器の出力を切替えるものであるから、請求項１または請求項２に記載の効果に加えて、音声ガイダンスで発音する音の立ち上がりの振幅で切替えが行われ、音声ガイダンスの言葉の一部が切れることがない。
【００１８】
請求項４の発明の医療器械装置用バックグランドミュージック装置の前記音声出力切替回路の切替えは、前記医療器械装置のスピーカに入力される音声信号を前記音声信号検出器が検出しなくなってから、前記ヘッドホンの入力信号に前記プレーヤーからの音楽出力に切替えるときには、前記音声信号検出器が検出しなくなってから時間の経過に応じて出力を定常状態に順次上昇させるものであるから、請求項１乃至請求項３の何れか１つに記載の効果に加えて、患者は医師から次の指示を待つが、患者はそれまでの音声ガイダンスの終了を認識し、同時にリラックスに入りやすくすることができる。また、時間の経過に応じて出力を定常状態に順次上昇させる途中で、再度、音声ガイダンスが入っても違和感なく、音声ガイダンスを受け入れることができる。
【００１９】
請求項５の発明の医療器械装置用バックグランドミュージック装置の前記音声出力切替回路の切替えは、前記医療器械装置のスピーカに入力される音声信号を前記音声信号検出器が検出しなくなってから、前記ヘッドホンの入力信号に前記プレーヤーからの音楽出力に切替えるときには、前記音声信号検出器が検出しなくなってから３乃至１０秒後、時間の経過に応じて出力を定常状態に順次上昇させるものであるから、請求項１乃至請求項３の何れか１つに記載の効果に加えて、前記音声信号検出器が検出しなくなってから３乃至１０秒間は、患者は医師から次の指示を待つが、患者はそれまでの音声ガイダンスの終了を認識し、同時にリラックスに入りやすくすることができる。また、時間の経過に応じて出力を定常状態に順次上昇させる途中で、再度、音声ガイダンスが入っても違和感なく、音声ガイダンスを受け入れることができる。
【００２０】
請求項６の発明の医療器械装置用バックグランドミュージック装置の前記音声信号検出器は、前記医療器械装置のスピーカ出力を遮断した「無信号状態」と、スピーカ入力に音声ガイダンスの音声信号が載っていないときの「無音信号状態」と、スピーカ出力に音声ガイダンスの音声信号が載っているときの「有音信号状態」が得られるとき、前記ヘッドホンの入力信号に前記プレーヤーからの音楽出力を定常状態出力とし、「無信号状態」から「無音信号状態」に変化したときには、前記ヘッドホンの前記プレーヤーからの音楽出力を順次低減させておき、前記音声ガイダンスの待機状態とすることを特徴とする請求項１乃至請求項５の何れか１つに記載の効果に加えて、複数の医師が画像を見て会話中には、前記医療器械装置のスピーカ出力が「無信号状態」となるから、そのときには、前記プレーヤーからのＢＧＭの音楽出力を前記ヘッドホンの出力とし、また、スピーカ入力に音声ガイダンスの音声信号が載っていないときの「無音信号状態」に切替わったときには、前記音声ガイダンスが入る可能性があるので、前記プレーヤーからのＢＧＭの音楽出力を徐々に低下させ、前記音声ガイダンスが入る直前であることを患者に知らせる。また、スピーカ入力に音声ガイダンスの音声信号が載っていないときの「無音信号状態」に継続的になっているときには、前記プレーヤーからのＢＧＭの音楽出力を患者に流すことになる。
【図面の簡単な説明】
【００２１】
【図１】図１は本発明の実施の形態１の医療器械装置用バックグランドミュージック装置のブロック回路構成図である。
【図２】図２は本発明の実施の形態１の医療器械装置用バックグランドミュージック装置の制御回路における制御プログラムのフローチャートである。
【図３】図３は本発明の実施の形態２の医療器械装置用バックグランドミュージック装置の制御回路における制御プログラムのフローチャートである。
【図４】図４は本発明の実施の形態３の医療器械装置用バックグランドミュージック装置の使用状態を示す全体構成図である。
【発明を実施するための形態】
【００２２】
［実施の形態１］
本発明の実施の形態１の医療器械装置用バックグランドミュージック装置を、図１及び図２を用いて説明する。また、医療器械装置１０としてＸ線ＣＴ装置（Ｘ線コンピュータ診断撮影装置）に取り付けた事例で説明する。
所定の音楽を再生するプレーヤー１は、所定のＣＤ等の音楽を再生するものであり、出力として音声信号が出せるものであればよく、プレーヤー１に入力される信号形態としては、ＭＰ３のような音声信号のみではなく、ＭＰ４、ＷＭＶ、３ＧＰ、ＳＷＦ、ＤＶＤ、ＶＯＢ、ＶＲＯ、ＭＰＥＧ等の画像信号と一体となった信号の音声であってもよく、その信号形態を問うものではない。結果的に、ヘッドホン７（またはスピーカ）の出力としてＢＧＭとなる音声が出るものであればよく、音声出力よりも前では独自の信号形態としてもよい。
【００２３】
プレーヤー１の出力は、増幅回路２に入力される。ボリューム２ａはその出力調整用である。増幅回路２の出力は、択一的に選択される音声出力切替回路３の一方の入力となっている。音声出力切替回路３の出力は、減衰回路４に入力されている。この減衰回路４は外部入力によって減衰率を決定している。減衰回路４の出力は、差動増幅回路５の一方（＋端子）の入力となる。また、差動増幅回路５の他方（−端子）の入力には、医療器械装置１０の周囲の騒音を拾うマイク８が配設され、増幅回路９にその出力が入力されている。ボリューム９ａはその出力調整用である。差動増幅回路５の出力は、増幅回路６を介して、ヘッドホン７の入力としている。なお、ボリューム６ａはその出力の音量調整用である。医療器械装置１０の周囲の騒音を拾うマイク８は、Ｘ線ＣＴ装置等のＸ線管の高速回転に伴って患者の耳に入る自然発生する風切り音等のみに限定されるものではなく、検査室８０の室内全体から、患者の耳に入る騒音を拾うものである。
【００２４】
詳しく説明すると、音声出力切替回路３には、プレーヤー１の出力と、後述する音声信号検出器１２の出力が入力されており、音声出力切替回路３はそれを択一的に選択する回路であり、機械的切替を行う切替器であってもよいし、電気的にスイッチングする切替えを行う回路であってもよい。また、減衰回路４は、入力を所定の減衰率で減衰させてそれを出力とするものであり、外部から制御される定数Ｖの値によって出力を変化させるものである。定数Ｖが「０」のとき最小、定数Ｖが「１０」のとき最大となっている。
【００２５】
オペアンプからなる差動増幅回路５は、一方（＋端子）の入力から他方（−端子）の入力を減算する構成となっている。減算される信号は、医療器械装置１０の周囲の騒音を拾うマイク８の出力を出力調整用のボリューム９ａが配設された増幅回路９の出力が入力されている。マイク８の拾う医療器械装置１０の周囲の騒音とは、Ｘ線ＣＴ装置等のＸ線管の高速回転に伴って患者の耳に入る自然発生する風切り音等である。即ち、医療器械装置１０の周囲の騒音を拾うマイク８、ボリューム９ａ付の増幅回路９、差動増幅回路５は、Ｘ線ＣＴ装置等の医療器械装置１０の稼動に伴って患者の耳に入る自然発生する雑音を除去するノイズキャンセラー２０を構成している。勿論、ノイズキャンセラー２０は位相反転回路を使用することによって、他の構成とすることもできる。増幅回路６のボリューム６ａはその出力の音量調整用であり、ヘッドホン７の出力を調整するものである。
【００２６】
そして、スピーカ１１は、医療器械装置１０としてＸ線ＣＴ装置に取り付けたガントリスピーカである。Ｘ線ＣＴ装置に取り付けたスピーカ１１は移動テーブルに配設されることから、ガントリスピーカと呼ばれているが、本発明を実施する場合には、操作室１０ａから患者の呼吸指示を行うスピーカ１１であれば、天井埋込用であっても、露出用であってもよい。
音声信号検出器１２は、医師が患者に対して音声ガイダンスを行うスピーカ１１に流れる音声電流を検出するもので、非接触式の交流電流センサであり、通常、ピックアップコイルが使用されるが、変流器を使用してもよいし、４０Ｈｚ乃至１５０００Ｈｚの周波数特性を有する検出器であればよい。即ち、Ｘ線ＣＴ装置附属のガントリスピーカから変流器（ＣＴ）等の交流センサを用い非接触式に音声を取り出している。医療器械装置１０との直接接続は、薬事法等の規則のために避けるのが望ましい。したがって、本実施の形態では、スピーカ１１の端子から直接検出する構成は除外して説明する。
本実施の形態の音声信号検出器１２は、非接触で医療機器装置１０の音声を拾うことができるため、ＣＴ装置に限らず放射線治療装置、ＲＩ装置、ＰＥＴ装置、Ｘ線透視装置等、様々な医療機器に応用できる。また、医療機器側の改造等は一切不要であり、薬事法に触れる可能性もない。
【００２７】
音声信号検出器１２の出力は、増幅回路１３に入力される。ボリューム１３ａはその出力調整用である。増幅回路１３の出力は、択一的に選択される音声出力切替回路３の他方の入力となっている。同時に、増幅回路１３の出力は、比較回路１４、比較回路１５、比較回路１６の入力になっている。比較回路１４には、ゼロ基準電圧設定用ポテンショメータ１４ａを有している。即ち、スピーカ１１の入力に医療器械装置のスピーカ出力を遮断したときの「無信号状態」を検出し、その出力をマイクロコンピュータからなる制御回路１７に入力する。
【００２８】
また、比較回路１５は、ホワイトノイズ基準電圧設定用ポテンショメータ１５ａを有している。即ち、スピーカ１１の入力に音声ガイダンスの音声信号が載っていないときの「無音信号状態」を検出し、その出力をマイクロコンピュータからなる制御回路１７に入力する。但し、比較回路１４のゼロ基準電圧設定用ポテンショメータ１４ａの値と、比較回路１５のホワイトノイズ基準電圧設定用ポテンショメータ１５ａの値との間に差が少ないときには、ゼロ基準電圧設定用ポテンショメータ１４ａを設定する比較回路１４は使用しない方がよい。この事例を実施の形態２として後述する。
【００２９】
そして、比較回路１６は、スピーカ１１の出力に音声ガイダンスの音声信号が載っているときの｛有音信号状態｝の信号基準電圧設定用ポテンショメータ１６ａを有している。即ち、スピーカ１１の出力に音声ガイダンスの音声信号が載っているときの「有音信号状態」を検出し、その出力をマイクロコンピュータからなる制御回路１７に入力する。制御回路１７は、比較回路１４、比較回路１５、比較回路１６からの「無信号状態」、「無音信号状態」、「有音信号状態」の入力によって音声出力切替回路３の入力の切替え、及びそのタイミングによって減衰回路４の減衰率を設定する。
【００３０】
制御回路１７では、次のように図２に示すプログラム制御がされる。
まず、電源の投入によって初期化され、この図２に示すプログラム処理が開始される。
ステップＳ１で音声信号検出器１２によって信号検出が行われる。ステップＳ２乃至ステップＳ４でその検出結果が、「無信号状態」、「無音信号状態」、「有音信号状態」であるか判断する。
【００３１】
「無信号状態」、即ち、スピーカ１１の出力に医療器械装置１０の操作室１０ａの会話をスピーカ１１の出力に載せないように遮断したり、アース電位に落したり、両端子間を短絡したりし、医療器械装置１０の操作室１０ａ内の会話を外に出さない操作がなされているとき、比較回路１４のゼロ基準電圧設定用ポテンショメータ１４ａの値は、誘導が生じていても、ほとんどゼロ電位であるから、その電位状態であるか判断する。ステップＳ２で「無信号状態」と判断されたとき、ステップＳ１４でＢＧＭをオンとし、ステップＳ１５で減衰回路４の減衰率を最大に設定すべく、カウンタＶ（定数Ｖ）に「０」をセットする。
【００３２】
そして、ステップＳ１０に進み、そこでカウンタＶに「＋１」を加算、即ち、インクリメントする。ステップＳ１１でカウンタＶの値が「１０」であるか判断し、カウンタＶの値が最大の「１０」未満の値であるとき、減衰回路４の減衰率を徐々に少なくする途中であるから、ステップＳ１２で所定のＢＧＭの減衰出力とし、また、カウンタＶの値が「１０」以上の値であるとき、ステップＳ１３でＢＧＭを通常の出力とする。
即ち、スピーカ１１の出力が「無信号状態」のとき、ヘッドホン７からＢＧＭを出力し、ＢＧＭを流し始めた初期には、徐々にボリュームを大きくする制御を行い、３乃至１０秒間の後の定常状態で、その制御を停止している。
【００３３】
次に、ステップＳ３で「無音信号状態」と判断されたとき、即ち、スピーカ１１の出力に医療器械装置１０の操作室１０ａから無音声の状態としてのスピーカ出力のときである。詳しくは、スピーカ出力が、アース電位に遮断されたり、両端子間を短絡されたりして、医療器械装置１０の操作室１０ａ内の会話を外に出さない操作がなされていない状態で、スピーカ１１が生きているときの信号状態である。
【００３４】
ステップＳ３で「無音信号状態」と判断されたとき、最初にステップＳ１６でＢＧＭをオンとし、ステップＳ１７で「無信号状態」から「無音信号状態」に変化した直後であるかを判断する。この判断は、カウンタＶが「７」以上であるかの判断でもよいし、「無音信号状態」のルーチンに入ってからの時間であってもよい。或いはフラグで認識してもよい。因みに、本実施の形態では、「無音信号状態」のルーチンに入ってからの時間で設定した。ステップＳ１７で「無信号状態」から「無音信号状態」に変化した直後であると判断したとき、ステップＳ１８で徐々にボリュームを落とす制御を行うため、最初にＢＧＭの音量を最大にすべくカウンタＶに「１０」を設定する。なお、通常では、「無信号状態」から「無音信号状態」に入ったときには、カウンタＶは「１０」で最大の音量となっているが、ここでは、電源投入時に「無音信号状態」に入った場合も想定している。ステップＳ１９で減衰回路４の減衰率を設定するカウンタＶから「−１」の減算をする。即ち、デクリメントする。
【００３５】
ステップＳ２０でステップＳ１９においてデクリメントした減衰回路４の減衰率で、所定のＢＧＭの減衰出力とする。次いで、ステップＳ２１で減衰回路４の減衰率を設定するカウンタＶの値が通常状態のＢＧＭ出力よりも何割か低減した値、この実施の形態ではカウンタＶが「３」以下に低減されているか判断し、カウンタＶが「３」以下になるまで、ステップＳ１９乃至ステップＳ２１のルーチンを繰り返し実行する。なお、本発明を実施する場合には、このカウンタＶが「３」以下を「０」として、ＢＧＭ出力をオフ状態とすることもできる。カウンタＶが「３」以下になったとき、ステップＳ２２でこの「無音信号状態」がどれだけ継続されているか判断し、１８０秒（３分）経過しても、「有音信号状態」にならない場合には、直ちに、医師が音声ガイダンスを行う状態、即ち、「有音信号状態」ないとして、ステップＳ１０に移動し、そこでカウンタＶに「＋１」を加算、即ち、インクリメントする。ステップＳ１１でカウンタＶの値が「１０」であるか判断し、カウンタＶの値が「１０」未満の値であるとき、減衰回路４の減衰率を徐々に少なくする途中であるから、ステップＳ１２で所定のＢＧＭの減衰出力とし、また、カウンタＶの値が「１０」以上の値であるとき、ステップＳ１３でＢＧＭを通常の出力とする。
【００３６】
ステップＳ２２でこの「無音信号状態」がどれだけ継続されているか判断し、例えば、１８０秒（３分）経過前であれば、医師が音声ガイダンスを行う状態下にあるとして、医師の音声ガイダンスが聞き取りやすくするために、ヘッドホン７からのＢＧＭ出力を低減するものである。ステップＳ２３で「有音信号状態」が確認されるまで、ステップＳ２０乃至ステップＳ２３のルーチンを繰り返し実行する。ステップＳ２３で「有音信号状態」が確認されたとき、ステップＳ５からの処理に移行する。
【００３７】
即ち、スピーカ１１の出力が「無音信号状態」のときのルーチンは、「無信号状態」から「無音信号状態」に入ったときには、医師の音声ガイダンスが入りやすく、ヘッドホン７からのＢＧＭを徐々に小さくする制御を行い、医師の音声ガイダンスに対応する。しかし、３分経過しても、医師の音声ガイダンスが入らない場合には、ＢＧＭを通常の音量に徐々に戻す制御を行うものである。
【００３８】
ステップＳ２２でこの「無音信号状態」が１８０秒（３分）経過する前に、音声信号検出器１２の出力が「有音信号状態」になった場合には、それがステップＳ２３で検出され、ステップＳ５からの処理に入る。ステップＳ５では、ＢＧＭをオフとし、ステップＳ６で直ちに、医師が音声ガイダンスを行う音声信号検出器１２の出力を音声出力切替回路３の出力とすべく、音声出力切替回路３を切替え、ステップＳ７で音声ガイダンスの終了を音声信号検出器１２の出力の「有音信号状態」が「無音信号状態」となって１０乃至９０秒間継続していることを持って判断する。
【００３９】
音声信号検出器１２の出力が「無音信号状態」となって１０乃至９０秒間継続したとステップＳ７で判断すると、ステップＳ８でＢＧＭをオンとし、ステップＳ９で減衰回路４の減衰率を最大に設定すべく、カウンタＶ（定数Ｖ）に「０」をセットし、ＢＧＭの音量を最小とする。ステップＳ１０でカウンタＶに「＋１」を加算、即ち、インクリメントする。ステップＳ１１でカウンタＶの値が「１０」であるか判断し、カウンタＶの値が「１０」未満の値であるとき、減衰回路４の減衰率を徐々に少なくする途中であるから、ステップＳ１２で所定のＢＧＭの減衰出力とし、また、カウンタＶの値が「１０」以上の値であるとき、ステップＳ１３でＢＧＭを通常の出力とする。
【００４０】
次に、ステップＳ４で音声ガイダンスの重畳が確認されて「有音信号状態」と判断されたとき、ステップＳ５でＢＧＭをオフとし、ステップＳ６で直ちに、医師が音声ガイダンスを行う音声信号検出器１２の出力を音声出力切替回路３の出力とすべく、音声出力切替回路３を切替え、ステップＳ７で音声ガイダンスの終了を音声信号検出器１２の出力の「有音信号状態」が「無音信号状態」となって１０乃至９０秒間継続していることを持って判断する。音声信号検出器１２の出力が「無音信号状態」となって１０乃至９０秒間継続したとステップＳ７で判断されたとき、ステップＳ８でＢＧＭをオンとし、ステップＳ９で減衰回路４の減衰率を最大に設定すべく、カウンタＶ（定数Ｖ）に「０」をセットし、ＢＧＭの音量を最小とする。ステップＳ１０でカウンタＶに「＋１」を加算、即ち、インクリメントする。ステップＳ１１でカウンタＶの値が「１０」であるか判断し、カウンタＶの値が「１０」未満の値であるとき、減衰回路４の減衰率を徐々に少なくする途中であるから、ステップＳ１２で所定のＢＧＭの減衰出力とし、また、カウンタＶの値が「１０」以上の値であるとき、ステップＳ１３でＢＧＭを通常の出力とする。
【００４１】
即ち、スピーカ１１の出力が「有音信号状態」のときのルーチンは、「有音信号状態」に入ったときには、通常はＢＧＭが入っており、そこに医師の音声ガイダンスが入るから、音声ガイダンスの存在により、ヘッドホン７からのＢＧＭをすばやく切断し、医師の音声ガイダンスを流すように制御する。このとき、比較回路１６は、所定の立ち上がり（立下り）の振幅で検出しているので、音声の一部が途切れることがない。正確には、人には音声の一部が切断されていることは認識できない。音声ガイダンスが終了したときには、再度、患者がリラックスできるように、ＢＧＭを通常の音量に徐々に大きくする制御を行う。したがって、患者が高齢で耳がよく聞こえない人でも、ヘッドホン７の音が聞こえる場合には、医療器械装置１０の周囲の騒音は、患者の耳に入る自然発生する風切り音等を、ノイズキャンセラー２０を構成する医療器械装置１０の周囲の騒音を拾うマイク８、ボリューム９ａ付の増幅回路９、差動増幅回路５は、Ｘ線ＣＴ等の医療器械装置１０の稼動に伴って患者の耳に入る自然発生する雑音を除去できるから、ＢＧＭ及び医師からの音声ガイダンスを聞き取りやすくなるので、リラックスできると共に、医師からの音声ガイダンスのみを集中して聞き分けることができる。したがって、医師の指示に従って撮影を行うことができる。
【００４２】
このように、本発明の実施の形態１の医療器械装置用バックグランドミュージック装置は、医療器械装置１０の音声ガイダンスを行うスピーカ１１に入力される音声信号を検出する音声信号検出器１２と、所定の音楽を再生するプレーヤー１と、プレーヤー１から出力された音楽または医療器械装置１０の音声ガイダンスを音声出力するヘッドホン７と、プレーヤー１から出力された音楽または医療器械装置１０の音声ガイダンスから、医療器械装置１０の周囲の騒音を除去してヘッドホン７の音声出力とするマイク８及び増幅回路９及び差動増幅回路５からなるノイズキャンセラー２０と、音声信号検出器１２が医療器械装置１０のスピーカ１１に入力される音声信号を検出したとき、プレーヤー１からの音楽出力を低減または遮断し、医療器械装置１０のスピーカ１１に入力される音声信号をヘッドホン７の入力信号に切替え、また、音声信号検出器１２が医療器械装置１０のスピーカ１１に入力される音声信号を検出していないときには、プレーヤー１からの音声信号をヘッドホン７の入力信号に切替える音声出力切替回路３を具備するものである。
【００４３】
医療器械装置１０の音声ガイダンスを行うスピーカ１１に入力される音声信号を検出する音声信号検出器１２が、医療器械装置１０のスピーカ１１に入力される音声信号を検出していないとき、音声出力切替回路３は所定の音楽を再生するプレーヤー１からの音声信号をヘッドホン７の入力信号に切替え、ＢＧＭを患者に聞かせる。音声信号検出器１２が医療器械装置１０のスピーカ１１に入力される音声信号を検出したとき、プレーヤー１からの音楽出力を低減または遮断し、医療器械装置１０のスピーカ１１に入力される音声信号をヘッドホン７の入力信号に切替え、患者に音声ガイダンスを聞かせる。このとき、プレーヤー１から出力された音楽または医療器械装置１０の音声ガイダンスを音声出力するヘッドホン７は、マイク８及び増幅回路９及び差動増幅回路５からなるノイズキャンセラーによってプレーヤー１から出力された音楽または医療器械装置１０の音声ガイダンスから、医療器械装置１０の周囲の騒音を除去してヘッドホン７の音声出力とするものである。
【００４４】
このように、近年のＸ線ＣＴ装置等のＸ線管の回転速度が高速化しても、その高速回転に伴って自然発生する風切り音に対しては、マイク８及び増幅回路９及び差動増幅回路５からなるノイズキャンセラーによって患者側で耳に入る風切り音を完全に防ぐことができる。特に、高齢者の場合においても、患者側で耳に入る風切り音を完全に防ぐことができる。即ち、Ｘ線ＣＴ装置による検査対象が高齢の患者の場合であっても、Ｘ線ＣＴ装置による撮影時、Ｘ線管がスキャナー本体内部で高速回転する際の風切り音と、息止め合図の音声とが一致し、音声ガイダンスの息止めの指示に風きり音が重なり、音声ガイダンスだけを明瞭に聞き分けることができる。故に、音声ガイダンスの息止め合図通りに息を止めることができ、呼吸が止めた状態での撮影が可能になり、診断画像に人体の動きに伴う虚像が混入することがない。
【００４５】
また、Ｘ線ＣＴ装置による検査対象が心臓の冠動脈検査の場合には、完全なる患者の息止めと、検査中における心拍動、心臓の拍動の周期、動きがＢＧＭで安定した状態となり、かつ、音声ガイダンスにより明瞭に医者の指示を聞き分けることができるから、息止めのタイミングが明確になり、Ｘ線ＣＴ装置の能力を活用でき、精度として０．５ｍｍ以下のものまで識別できる。
このように、ＢＧＭで患者の精神的なストレスを緩和させ、音声ガイダンスを聞き取りやすくし、医療器械装置１０の検査結果の品質を向上できる医療器械装置用バックグランドミュージック装置を得ることができる。
したがって、患者の精神的なストレスを緩和させ、医師の指示をそのタイミングに合わせて実行できるようにし、Ｘ線ＣＴ装置、医用画像撮影装置等の医療器械装置の検査結果の品質向上、患者の生理的なストレスの排除を行うことができる。
【００４６】
［実施の形態２］
本発明を実施する場合には、実施の形態１の図１に示した回路から比較回路１４を省略することができ実施の形態２の態様がある。
この実施の形態２の場合には、制御回路１７では、図３のようにプログラム制御される。
まず、電源の投入によって初期化され、このプログラム処理が開始される。
ステップＳ３１で音声信号検出器１２によって信号検出が行われる。ステップＳ３２乃至ステップＳ３３でその検出結果が、「無音信号状態」、「有音信号状態」であるか判断する。
【００４７】
ステップＳ３２で「無音信号状態」と判断されたとき、即ち、スピーカ１１の出力に医療器械装置１０の操作室１０ａから無音声の状態としてのスピーカ出力のときである。ステップＳ４３でＢＧＭをオンとし、ステップＳ４４でカウンタＶに「０」が設定される。そして、ステップＳ３９に移動し、そこでカウンタＶにインクリメントする。ステップＳ４０でカウンタＶの値が「１０」であるか判断し、カウンタＶの値が「１０」未満の値であるとき、減衰回路４の減衰率を徐々に少なくする途中であるから、ステップＳ４１で所定のＢＧＭの減衰出力とし、また、カウンタＶの値が「１０」以上の値であるとき、ステップＳ４２でＢＧＭを通常の出力とする。
【００４８】
次に、ステップＳ３３で音声ガイダンスの重畳が確認されて「有音信号状態」と判断されたとき、ステップＳ３４でＢＧＭをオフとし、ステップＳ３５で直ちに、医師が音声ガイダンスを行う音声信号検出器１２の出力を音声出力切替回路３の出力とすべく、音声出力切替回路３を切替え、ステップＳ３６で音声ガイダンスの終了を音声信号検出器１２の出力の「有音信号状態」が「無音信号状態」となって１０乃至９０秒間継続していることを持って判断する。音声信号検出器１２の出力が「無音信号状態」となって１０乃至９０秒間継続したとステップＳ３６で判断されたとき、ステップＳ３７でＢＧＭをオンとし、ステップＳ３８で減衰回路４の減衰率を最大に設定すべく、カウンタＶ（定数Ｖ）に「０」をセットし、ＢＧＭの音量を最小とする。ステップＳ３９でカウンタＶにインクリメントし、ステップＳ４０でカウンタＶの値が「１０」であるか判断し、カウンタＶの値が「１０」未満の値であるとき、減衰回路４の減衰率を徐々に少なくする途中であるから、ステップＳ４１で所定のＢＧＭの減衰出力とし、また、カウンタＶの値が「１０」以上の値であるとき、ステップＳ４２でＢＧＭを通常の出力とする。
【００４９】
即ち、スピーカ１１の出力が「有音信号状態」のときのルーチンは、「有音信号状態」に入ったときには、通常はＢＧＭが入っており、そこに医師の音声ガイダンスが入るから、音声ガイダンスの音声信号の存在により、ヘッドホン７からのＢＧＭをすばやく切断し、医師の音声ガイダンスを流すように制御する。このとき、比較回路１６は、所定の立ち上がり（立下り）の振幅で検出しているので、人には音声の一部が切断されていることは認識できない。音声ガイダンスが終了したときには、再度、患者がリラックスできるように、ＢＧＭを通常の音量に徐々に大きくする制御を行う。したがって、患者が高齢で耳がよく聞こえない人でも、ヘッドホン７の音が聞こえる場合には、医療器械装置１０の周囲の騒音は、患者の耳に入る自然発生する風切り音等を、ノイズキャンセラー２０を構成する医療器械装置１０の周囲の騒音を拾うマイク８、ボリューム９ａ付の増幅回路９、差動増幅回路５は、Ｘ線コンピュータ診断撮影装置等の医療器械装置１０の稼動に伴って患者の耳に入る自然発生する雑音を除去できるから、ＢＧＭ及び医師からの音声ガイダンスを聞き取りやすくなるので、リラックスできると共に、医師からの音声ガイダンスのみを集中して聞き分けることができる。したがって、医師の指示に従って撮影を行うことができる。
【００５０】
［実施の形態３］
図４は実施の形態３である。この実施例においては、ミキサー４０に、図１の音声出力切替回路３、減衰回路４、制御回路１７の回路を単一に組み込んだものである。また、ヘッドホン５０は市販のノイズキャンセラー機能付のものである。したがって、ヘッドホン５０は医療器械装置１０の周囲の騒音を拾うマイク８、ボリューム９ａ付の増幅回路９、差動増幅回路５、音量調整用のボリューム６ａ付の増幅回路６を含むものである。
また、図４において操作室スピーカ６０は、操作室１０ａ内に配設された患者からの音声の取り込み用である。
本実施の形態３においても、実施の形態１及び実施の形態２の制御回路１７と同様にプログラム制御される。
【００５１】
上記実施の形態３の医療器械装置用バックグランドミュージック装置のノイズキャンセラー２０は、ヘッドホン５０自体に医療器械装置１０の周囲の騒音を除去する機能を付与したものを使用することにより、省略することができる。この種のノイズキャンセラー付のヘッドホン５０は市販されており、装置を廉価にすることができる。このミキサー４０から、民生用のノイズキャンセルヘッドホン５０に音声を流すから、患者はＣＴ装置の風きり音がノイズキャンセルされ静穏な状態で、ＣＴ装置の息止め音声のみのガイダンスを受けることができる。
【００５２】
上記実施の形態の医療器械装置用バックグランドミュージック装置の音声出力切替回路３の切替えは、医療器械装置１０のスピーカ１１に出力される音声信号を音声信号検出器１２が検出したとき、急速にヘッドホン７またはヘッドホン５０の入力に音声信号検出器１２の出力を切替えるものであるから、音声ガイダンスで発音する音の信号の立ち上がりで切替えが行われるから、音声ガイダンスの言葉の一部が切れることがない。
【００５３】
上記実施の形態の医療器械装置用バックグランドミュージック装置の音声出力切替回路３の切替えは、医療器械装置１０のスピーカ１１に入力される音声信号を音声信号検出器１２が検出しなくなってから、ヘッドホン７，５０の入力信号にプレーヤー１からの音楽出力に切替えるときには、音声信号検出器１２が検出しなくなってから時間の経過に応じて出力を定常状態に順次上昇させるものであるから、医師からの次の操作の指示を待つとき、患者にはそれまでの音声ガイダンスの終了を認識させ、同時にリラックスに入りやすくすることができる。また、時間の経過に応じて出力を定常状態に順次上昇させる途中で、再度、音声ガイダンスが入っても違和感なく、音声ガイダンスを受け入れることができる。
【００５４】
上記実施の形態の医療器械装置用バックグランドミュージック装置の音声出力切替回路３の切替えは、医療器械装置１０のスピーカ１１に入力される音声信号を音声信号検出器１２が検出しなくなってから、ヘッドホン７，５０の入力信号にプレーヤー１からの音楽出力に切替えるときには、音声信号検出器１２が検出しなくなってから５乃至１０秒後、時間の経過に応じて出力を定常状態に順次上昇させるものであるから、音声信号検出器１２が検出しなくなってから１０乃至９０秒間は、医師からの次の操作の判断を待つが、患者にはそれまでの音声ガイダンスの終了を認識させ、同時にリラックスに入りやすくすることができる。また、時間の経過に応じて出力を定常状態に順次上昇させる途中で、再度、音声ガイダンスが入っても違和感なく、音声ガイダンスを受け入れることができる。
【００５５】
上記実施の形態の医療器械装置用バックグランドミュージック装置の音声信号検出器１２は、医療器械装置１０のスピーカ１１の出力を遮断した「無信号状態」と、スピーカ１１の入力に音声ガイダンスの音声信号が載っていないときの「無音信号状態」と、スピーカ１１の出力に音声ガイダンスの音声信号が載っているときの「有音信号状態」が得られるとき、ヘッドホン７，５０の入力信号にプレーヤー１からの音楽出力を定常状態出力とし、「無信号状態」から「無音信号状態」に変化したときには、ヘッドホン７，５０のプレーヤー１からの音楽出力を順次低減させておき、音声ガイダンスの待機状態とするものである。したがって、複数の医師が画像を見て会話中には、医療器械装置１０のスピーカ１１の出力が「無信号状態」となるからそのときには、プレーヤー１からのＢＧＭの音楽出力をヘッドホン７，５０の出力とし、また、スピーカ１１の入力に音声ガイダンスの音声信号が載っていないときの「無音信号状態」に切替わったときには、音声ガイダンスが入る可能性があるので、プレーヤー１からのＢＧＭの音楽出力を徐々に低下させ、音声ガイダンスが入る直前であることを患者に知らせる。また、スピーカ入力に音声ガイダンスの音声信号が載っていないときの「無音信号状態」に継続的になっているときには、プレーヤー１からのＢＧＭの音楽出力を患者に流すことができる。
【００５６】
ところで、上記実施の形態では、ヘッドホン７，５０として電気振動と空気振動との変換を耳元で行うものの事例で説明したが、医療器械装置１０の中には、ＭＲＩのように測定対象付近に金属を置くことができないものもある。このような場合には、移動テーブル内で電気振動と空気振動との変換を行わせて、それを合成樹脂または合成ゴム等の材料からなる管体（音声伝達チューブ）を介して患者の耳元まで導き、音声を伝播させることもできる。
【００５７】
なお、上記実施の形態で使用した時限は、高齢者、障害者等使用状況に応じて、任意の時限とすることができる。
電気的な漏洩電流等の問題は発生しない。この取り出した音声と音楽プレーヤーをミックスするミキサー内部には、ＣＴ装置の音声を感知し、通常は音楽を流し、ＣＴ装置が音声を発した場合には、音楽をミュートさせ、ＣＴ装置の息止め音声に音楽が干渉しないシステムとなる。したがって、高齢者や難聴患者でも、ＣＴ装置側の騒音にさえぎられること無く、検査時の息止め合図が聞き取りやすくなる。患者は医療器械装置１０から出る機械音、風きり音等により精神的なストレスを受けなくて済む。
特に、心臓検査のときに、医療器械装置１０として、例えば、ＣＴ装置が回転し始めるだけで、検査が始まることによる緊張から心拍数が大幅に向上することが多分にあるが、この緊張を取り除くことができる。そうすることで、心臓ＣＴ検査の診断画像が大幅に向上することが期待できる。
【００５８】
また、患者がストレスとして感じている病院の治療、診察に対し、個々の患者がリラックスできる音楽を治療、診察時に持ち込み、これを聞かせながらの治療、診療を受けることができる。
そして、ＣＴ装置にて治療の位置決め画像として、呼吸同期撮影を行うことがあるが、数十回の息止めを一定のリズムで行う必要がある。このシステムを用いて、一定のリズムの呼吸の息止めガイダンスをプレーヤー１側から流すことで、本番の検査の前に練習することができる。ＣＴ装置の仕様に依存することなく、練習が可能となり、位置決め画像の再現性も向上できる。
更に、子供の場合には、このシステムにビデオレコーダー及びビデオの映像をコーグル内に投射されるシステムを組み合わせることにより、映像を見せながら、検査をすることができる。このとき、コーグル内に、親の映像を投影し、子供の不安感を取り除くこともできる。
更にまた、ヘッドホン７の部分にマイクを接続し、患者が発する声を録音することもできる。特に、医療行為中に何か起きた場合、この録音の音声により医療訴訟等の役に立つ場合が想定できる。
【符号の説明】
【００５９】
１    プレーヤー
３    音声出力切替回路
４    減衰回路
５    差動増幅回路
７,５０    ヘッドホン
８    マイク
１０    医療器械装置
１０ａ  操作室
１１    スピーカ
１２    音声信号検出器
１４，１５，１６    比較回路
１７    制御回路
２０    ノイズキャンセラー
８０    検査室
【図１】
2011098070.tif 000003
【図２】
2011098070.tif 000004
【図３】
2011098070.tif 000005
【図４】
2011098070.tif 000006